(57)【要約】【課題】オーダーに応じ、かつゴルフクラブの本来の設計規格を損なうことなく調整を容易に行うことを可能にするだけでなく、アイアンクラブまたはウッドクラブなどのタイプが異なるゴルフクラブに適用することを可能にするゴルフクラブヘッドの重り調整装置を提供する。【解決手段】オーダーに応じるゴルフクラブヘッドの重り調整装置は、クラブヘッド１０の所定の位置に少なくとも一つの装填溝１５を設け、少なくとも一つの圧縮性弾性を有する重りケース２０を装填溝１５に装填する。重りケース２０は、装填溝１５の内寸より外寸が大きいため、圧縮性弾性によって装填溝１５内に嵌合、固定される。【選択図】  図２
2011072748.tif 000002
【特許請求の範囲】
【請求項１】
少なくとも一つの装填溝を有するクラブヘッドと、
圧縮性弾性を有し、前記装填溝の内寸より外寸が大きいため、圧縮性弾性によって前記装填溝内に装填、固定される少なくとも一つの重りケースと、
を備えることを特徴とするオーダーに応じるゴルフクラブヘッドの重り調整装置。
【請求項２】
前記重りケースは、ゴム、人造ゴム、圧縮性弾性を有するプラスチック、または、ゴムおよびプラスチック混合物に、前記クラブヘッドの成形材料より比重が大きい金属粉末を交ぜることによって一体成形されることを特徴とする請求項１に記載のオーダーに応じるゴルフクラブヘッドの重り調整装置。
【請求項３】
前記重りケースは、ゴム、人造ゴム、圧縮性弾性を有するプラスチック、または、ゴムおよびプラスチック混合成形体に、前記クラブヘッドの成形材料より比重が大きい金属粒子を埋め込むことによって成形されることを特徴とする請求項１に記載のオーダーに応じるゴルフクラブヘッドの重り調整装置。
【請求項４】
前記重りケースは、金属製の重りおよび弾性外層を有し、
前記金属製の重りは、クラブヘッドの成形材料より比重が大きい金属から構成され、
前記弾性外層は、前記金属製の重りを覆うため、一つのユニットが構成され、かつ圧縮性弾性を有することを特徴とする請求項１に記載のオーダーに応じるゴルフクラブヘッドの重り調整装置。
【請求項５】
前記クラブヘッドの前記装填溝は、背面に形成されることを特徴とする請求項１〜４のいずれか一項に記載のオーダーに応じるゴルフクラブヘッドの重り調整装置。
【請求項６】
前記装填溝内に一つの前記重りケースが装填され、
前記装填溝の長さは、前記重りケースの長さより大きいことを特徴とする請求項５に記載のオーダーに応じるゴルフクラブヘッドの重り調整装置。
【請求項７】
前記クラブヘッドは、底部から背面に沿って後へ伸び、伸びた部位の頂面の下方に形成された少なくとも一つの前記装填溝を有することを特徴とする請求項１〜４のいずれか一項に記載のオーダーに応じるゴルフクラブヘッドの重り調整装置。
【請求項８】
前記クラブヘッドは、底部から背面に沿って後へ伸び、かつ上に突出して形成された突出部を有し、前記突出部と前記背面との間にチャンバーを有し、前記装填溝は、前記チャンバー内に形成されることを特徴とする請求項１〜４のいずれか一項に記載のオーダーに応じるゴルフクラブヘッドの重り調整装置。
【請求項９】
前記クラブヘッドの前記装填溝内に、少なくとも二つの前記重りケースが装填されることを特徴とする請求項５に記載のオーダーに応じるゴルフクラブヘッドの重り調整装置。
【発明の詳細な説明】
【技術分野】
【０００１】
本発明は、ゴルフクラブヘッドに関し、詳しく言えばオーダーに応じるゴルフクラブヘッドの重り調整装置に関するものである。
【背景技術】
【０００２】
ゴルフのアマチュアまたはプロフェッショナルには、ゴルフクラブをオーダーする必要があるが、ゴルフグラブ業界は、オーダーを受けてゴルフクラブを製作する際、何も改善せず依然として従来の方式によって使用者から求められるスイングウエイト（ｓｗｉｎｇ  ｗｅｉｇｈｔ）の需要に対応する、即ちゴルフクラブのソケット（ｈｏｓｅｌ）および／またはグリップの先端の重量を減らすとういう方法によってスイングウエイトを調整する。従来の方式は、使用者の要求に応えることができるが、当初に設計されたゴルフクラブの本来の規格を損なってしまうだけでなく、重量配分が異なってしまうためゴルフクラブの打球能力を低下させてしまう。
【０００３】
近年、ウッドクラブに対し、重りを調整することを可能にするいくつかの構造が開示された。その技術手段は、クラブヘッドの底面に重りの装填に用いるチャンバーを設け、チャンバーに板を被せ、ボルトによって締め付けて固定することである。このような構造は、作業に比較的手間がかかるだけでなく、アイアンクラブに適さない。
【先行技術文献】
【特許文献】
【０００４】
【特許文献１】米国特許６，０８９，９９４号明細書
【発明の概要】
【発明が解決しようとする課題】
【０００５】
本発明の主な目的は、オーダーに応じ、かつゴルフクラブの本来の設計規格を損なうことなく調整を容易に行うことを可能にするだけでなく、アイアンクラブまたはウッドクラブなどのタイプが異なるゴルフクラブに適用することを可能にするゴルフクラブヘッドの重り調整装置を提供することである。
【課題を解決するための手段】
【０００６】
上述の目的を達成するために、本発明によるオーダーに応じるゴルフクラブヘッドの重り調整装置は、クラブヘッドの所定の位置に少なくとも一つの装填溝を設け、少なくとも一つの圧縮性弾性を有する重りケースを装填溝に装填する。重りケースは、装填溝の外寸より外寸が大きいため、圧縮性弾性によって装填溝内に嵌合、固定される。
【図面の簡単な説明】
【０００７】
【図１】本発明の第一実施形態によるオーダーに応じるゴルフクラブヘッドの重り調整装置を示す斜視図である。
【図２】本発明の第一実施形態によるオーダーに応じるゴルフクラブヘッドの重り調整装置を示す分解斜視図である。
【図３】図１中の３−３線に沿った断面図である。
【図４】図２中の４−４線に沿った断面図である。
【図５】図４中の重りケースを模式的に示す拡大図である。
【図６】図５に示す重りケースの別の構造を模式的に示す拡大図である。
【図７】図５に示す重りケースの別の構造を模式的に示す拡大図である。
【図８】本発明の第二実施形態によるオーダーに応じるゴルフクラブヘッドの重り調整装置を示す分解斜視図である。
【図９】本発明の第二実施形態によるオーダーに応じるゴルフクラブヘッドの重り調整装置が組み立てられた後、二つの重りケースが装填溝の両側に嵌合された状態を示す模式図である。
【図１０】図９に示す如く、本発明の第二実施形態によるオーダーに応じるゴルフクラブヘッドの重り調整装置が組み立てられた後、二つの重りケースが装填溝の左側に嵌合された状態を示す模式図である。
【図１１】本発明の第三実施形態によるオーダーに応じるゴルフクラブヘッドの重り調整装置を示す分解斜視図である。
【図１２】本発明の第四実施形態によるオーダーに応じるゴルフクラブヘッドの重り調整装置において重りケースが装填溝の中央に据えられた状態を示す平面図である。
【図１３】本発明の第四実施形態によるオーダーに応じるゴルフクラブヘッドの重り調整装置において重りケースが装填溝の右側に据えられた状態を示す平面図である
【図１４】本発明の第五実施形態によるオーダーに応じるゴルフクラブヘッドの重り調整装置を示す分解斜視図である。
【図１５】本発明の第六実施形態によるオーダーに応じるゴルフクラブヘッドの重り調整装置を示す分解斜視図である。
【発明を実施するための形態】
【０００８】
以下、本発明によるオーダーに応じるゴルフクラブヘッドの重り調整装置を図面に基づいて説明する。
（第一実施形態）
図１から図５に示すように、本発明の第一実施形態によるオーダーに応じるゴルフクラブヘッドの重り調整装置は、アイアンクラブヘッドを例に説明を進める。本形態は、アイアンクラブ、ウッドクラブ、パター、ウェッジなどの任意のクラブヘッド、クラブの種類およびクラブのタイプに適用可能である。図に示すように本形態は、クラブヘッド１０および重りケース２０を備える。
【０００９】
クラブヘッド１０は、底部１１から背面１２に沿って後へ伸び、かつ上に突出して形成された突出部１３を有し、突出部１３と背面１２との間にチャンバー１４を有することによってアンダーカット（ｕｎｄｅｒ  ｃｕｔ）を呈する。突出部１３は、頂面に細長い装填溝１５を有する。
【００１０】
重りケース２０は、圧縮性弾性を有し、外径の幅Ｗが装填溝１５の内径の幅Ｖより大きいため、クラブベッド１０の装填溝１５内に圧縮、嵌合されることが可能である。重りケース２０は、ゴム、人造ゴムまたは圧縮性弾性を有するプラスチックあるいはゴム、プラスチック混合物などの弾性体２２に、クラブヘッドの成形材料より比重が大きい金属粉末２１を交ぜることによって一体成形される。例えばクラブヘッド１０がステンレスまたは軟鉄またはチタン合金などの金属製である場合、図５に示すように、重りケース２０は、タングステンまたは鉛などの比重の比較的大きい金属粉末２１と、シリコンゴム（ｓｉｌｉｃｏｎ  ｒｕｂｂｅｒ）とを均一に交ぜ、固化させることによって成形することが可能である。シリコンゴムは、非常に良好な圧縮性弾性を有するため、重りケース２０の外径の幅Ｗを装填溝１５の内径の幅Ｖより明らかに大きくし、指で重りケース２０を装填溝１５内に簡単に詰め込み、シリコンゴムの弾性によって固定することが可能である。従って、強力な打球を行なうときにでも逸脱問題は発生しない。重りケース２０を交換する際、尖端を有する工具、例えばティーの尖端によって重りケース２０を装填溝１５から取り出せば交換できるため、操作が非常に簡単である。なお、幅Ｗが「外寸」に対応し、幅Ｖが「内寸」に対応する。
【００１１】
図６に示すのは、本形態における重りケースの別の構造を示す断面図である。重りケース２０’は、ゴム、人造ゴムまたは圧縮性弾性を有するプラスチックあるいはゴム、プラスチック混合成形体などの弾性体２２’に、クラブヘッドの成形材料より比重が大きい金属粒子２１’を埋め込むことによって成形される。例えば重りケース２０’は、タングステンまたは鉛などの重金属粒子２１’をシリコンゴム２２’で覆うか或いは図５に示す方法のように粒子をシリコンゴム中に均一に分布させることによって成形される。
【００１２】
図７に示すように、重りケース２０”は、クラブヘッドの成形材料より比重が大きい金属、例えばタングステンまたは鉛、によって細長い金属製の重り２１”を構成し、そののちゴム、人造ゴムまたは圧縮性弾性を有するプラスチックあるいはゴム、プラスチック混合成形体などの弾性体で金属製の重り２１”を覆うことによって弾性外層２２”を成形することが可能である。弾性外層２２”は、プラスチック材質で金属製の重りを覆い、硬化させることによって一体成形することが可能である。あるいは弾性外層２２”を予め成形し、そののち金属製の重りを弾性外層の内部に装填することも可能である。
【００１３】
本形態における重りケース２０、２０’、２０”は、２ｇ、３ｇ、５ｇ、８ｇ、１０ｇなどの重量によって若干の型番を製作することが可能である。識別および選択の便をはかるために、重りケースの上に重量符号を明確に表記するか、色で重量を表示するか、あるいは、符号および色で重量を表示することが可能である。
【００１４】
（第二実施形態）
図８から図１０に示すように、本発明の第二実施形態は、アイアンクラブヘッド３０に基づいて説明を進める。本実施形態において、アイアンクラブヘッド３０は、底部３１から背面３２に沿って後へ伸び、かつ上に突出して形成された突出部３３を有し、突出部３３と背面３２との間にチャンバー３４を有する。突出部３３は比較的薄いため、比較的大きいチャンバー３４が形成される。突出部３３は、内壁面からチャンバー３４に沿って枠体に形成された装填溝３５を有する。二つの弾性ケース４０は、装填溝３５内に装填され、その長さが装填溝３５の長さより小さく、装填溝３５の１/３から１/２の間である。図９に示すように、重量のバラスを取るため、二つの弾性ケース４０は装填溝３５の両側に装填される。図１０に示すように、重心をヒール方向に傾けるため、二つの弾性ケース４０は装填溝３５上のヒールに近い部位に並列に装填してもよい。同様に重心をトウ方向（図中未表示）に傾けることも可能である。
【００１５】
（第三実施形態）
図１１に示すように、本発明の第三実施形態は、アイアンクラブヘッド３０の装填溝３５内に重りケース５０を充満させる。
【００１６】
（第四実施形態）
図１２に示すように、本発明の第四実施形態は、重りケース５０’が装填溝３５より短いため、重りケース５０’を装填溝３５の中央に装填し、装填溝３５の両側に隙間３５’を生成することが可能である。また図１３に示すように装填溝３５上のトウに近い部位に重りケース５０’を装填し、ヒールに近い部位に隙間３５’を生成することによって重心をトウ方向に傾けることが可能である。同様に装填溝３５上のヒールに近い部位に重りケース５０’を装填することによって重心をヒール方向（図中未表示）に傾けることも可能である。
【００１７】
（第五実施形態）
図１４に示すように、本発明の第五実施形態は、アイアンクラブヘッド３０の装填溝３５を深く掘り、重りケース５０”を薄く成形することによって装填溝３５に二つの重りケース５０”を装填することが可能である。
【００１８】
（第六実施形態）
図１５に示すように、本発明の第六実施形態は、ウッドクラブヘッド６０の背面６１に重りケース７０の装填に用いる装填溝６５を設ける。
本発明の特徴は、タイプが異なるクラブヘッドに適用し、重りケースを容易に調整することができることである。本発明は、ゴルフクラブの組立が完了した後、使用者の要望に応じ、重りを調整するため、使用者から求められる規格の百パーセントを正確に達成することが可能である。従来の方法は、ゴルフクラブのソケットまたはグリップの先端を調整し、かつ空間に限りがあるため、装填可能な重りの数が制限される。またゴルフクラブのソケットまたはグリップの先端に大きな加重を加えると、重心がずれるため、ゴルフクラブの機能に影響を与え、打球感が心地よくならなくなる。それに対し、本発明は、直接クラブヘッドの背部上の底面に近い部位にて重量調整を行い、クラブヘッドの重心を下に移すため、ボールをより容易に打つことが可能である。かつ本発明は、高比重の金属材料から成形される重りケースを使用し、かつ加重範囲を２０ｇ以上にすることによって重量調整の範囲を増大させるため、重りの重量およびクラブヘッドの重心位置を容易に調整し、特にオーダーの発注者の要望に応じ、調整を行なうことが可能である。
【符号の説明】
【００１９】
１０：クラブヘッド、１１：底部、１２：背面、１３：突出部、１４：チャンバー、１５：装填溝、２０：重りケース、２０’：重りケース、２０”：重りケース、２１：金属粉末、２１’：金属粒子、２１”：金属製の重り、２２：弾性体、２２’：弾性体、２２”：弾性外層、３０：アイアンクラブヘッド、３１：底部、３２：背部、３３：突出部、３４：チャンバー、３５：装填溝、３５’：隙間、５０：重りケース、５０’：重りケース、５０”：重りケース、６０：ウッドクラブヘッド、６１：背面、６５：装填溝、７０：重りケース、Ｗ：外径の幅、Ｖ：内径の幅
【図１】
2011072748.tif 000003
【図２】
2011072748.tif 000004
【図３】
2011072748.tif 000005
【図４】
2011072748.tif 000006
【図５】
2011072748.tif 000007
【図６】
2011072748.tif 000008
【図７】
2011072748.tif 000009
【図８】
2011072748.tif 000010
【図９】
2011072748.tif 000011
【図１０】
2011072748.tif 000012
【図１１】
2011072748.tif 000013
【図１２】
2011072748.tif 000014
【図１３】
2011072748.tif 000015
【図１４】
2011072748.tif 000016
【図１５】
2011072748.tif 000017